(57)【要約】【解決手段】取付壁２に面して設置した流し台１に水栓本体７を取り付け、この水栓本体７にシャワーヘッド１５を着脱可能に支持するとともに、この水栓本体７に供給管８を接続し、シャワーホースをこの供給管８に接続してそのシャワーホースのメタル可撓ホース１６を垂れ下がらした状態で前記シャワーヘッド１５に接続し、このシャワーホースを水栓本体７から引き出してシャワーヘッド１５を使用する。シャワーホースが出入される水栓本体７の内口部１１ａに対応する位置からメタル可撓ホース１６の垂下部に沿う所定範囲Ｓで、前記取付壁２または流し台１の背板１８とメタル可撓ホース１６の垂下部との間に仕切部材１９を介在させた。【効果】シャワー水栓３においてシャワーホースが出入される水栓本体７の内口部１１ａの付近でシャワーホース自体または流し台１の背板１８や排水トッラプ５ａの損傷を確実に防止することができる。【選択図】図２
2005146732.tif 000002
【特許請求の範囲】
【請求項１】
取付壁に面して設置した取付台に、シャワーヘッドとシャワーホースとを引き出し可能に設けたシャワー水栓を取り付け、シャワーホースの吐出管が出入する水栓本体の内口部に対応する位置から、前記シャワーホースの垂下部に沿う所定範囲で、前記取付壁または取付台の背板とシャワーホースとの間に仕切部材を介在させたことを特徴とするシャワー水栓の取付構造。
【請求項２】
前記仕切部材には、Ｕ状に曲がったシャワーホースの両側垂下部をその垂下方向に沿って仕切る区画部を設けたことを特徴とする請求項１に記載のシャワー水栓の取付構造。
【請求項３】
前記仕切部材は、シャワーホースの垂下部を案内する案内部を有していることを特徴とする請求項１または請求項２に記載のシャワー水栓の取付構造。
【請求項４】
前記仕切部材は上側案内板部と下側案内板部とからなり、少なくとも上側案内板部の表側には仕切面を上側が取付壁に向うように傾斜させて設けたことを特徴とする請求項１または請求項２または請求項３に記載のシャワー水栓の取付構造。
【請求項５】
前記仕切部材の裏側には取付台の背板に支持される段差部を設けたことを特徴とする請求項１から請求項４のうちいずれかの請求項に記載のシャワー水栓の取付構造。
【請求項６】
前記仕切部材は上側案内板部と下側案内板部とからなり、この上側案内板部は取付台の背板の外側へ露出して取付壁に面するように配設され、この上側案内板部は取付台の背板の内側に配設されていることを特徴とする請求項１から請求項５のうちいずれかの請求項に記載のシャワー水栓の取付構造。
【発明の詳細な説明】
【技術分野】
【０００１】
本発明は、流し台や洗面化粧台などに設けたシャワー水栓の取付構造に関するものである。
【背景技術】
【０００２】
一般に、シャワー水栓は、建物の内壁に面して設置される流し台のワークトップ上のシンク後方に取り付けられる。シャワー水栓の構造については、水栓本体にシャワーヘッドが挿脱可能に支持され、このシャワーヘッドに接続されたシャワーホースが、この水栓本体に接続された湯水供給管とこのシャワーヘッドとの間で垂れ下がった状態で介在されている。
【特許文献１】特公平８−３１９５号公報
【特許文献２】特許第３０６６５６０号公報
【特許文献３】特開平８−２１８４５５号公報
【特許文献４】特開平９−３２０５８号公報
【発明の開示】
【発明が解決しようとする課題】
【０００３】
従来、建物の内壁または流し台の背板とシンクの排水トラップとの間のスペースは狭いため、使用時にシャワーヘッドを水栓本体から引き出すと、シャワーホースの垂下部がこの狭いスペースで揺れ動いて建物の内壁や流し台の背板や排水トラップに接触し易くなり、耳障りな音が発生したり、シャワーホース自体あるいは流し台の背板や排水トラップが損傷するという問題があった。この現象は、シャワーホースが金属製の場合に顕著に表れる。そのため、シャワーホースの垂下部の揺れを規制する案内部材（例えば、上記特許文献１の案内部材１５，２２，２５や上記特許文献２のガイド部材１０や上記特許文献３のガイド７や上記特許文献４のホースサポート２６）が設けられている。
【０００４】
一般に、シャワーホースが出入される水栓本体の内口部の付近では、特にスペースが狭いため、シャワーホースが少しの揺れで流し台の背板や排水トラップに接触し易い。しかし、上記特許文献１〜４では、前記内口部とこれらの案内部材との間にシャワーホースの垂下部の揺れを規制する案内部材がないため、シャワーホース自体あるいは流し台の背板や排水トラップの損傷を防止するには不十分であった。
【０００５】
この発明は、特に、シャワーホースが出入される水栓本体の内口部の付近で、シャワーホース自体あるいは流し台等の背板や流し台の排水トラップの損傷を確実に防止することを目的としている。
【課題を解決するための手段】
【０００６】
後記実施形態の図面（図１〜４）の符号を援用して本発明を説明する。
請求項１の発明にかかるシャワー水栓３の取付構造は下記のように構成されている。
取付壁２に面して設置した取付台１に、シャワーヘッド１５とシャワーホース１０とを引き出し可能に設けたシャワー水栓３を取り付けている。例えば、取付壁２に面して設置した取付台１に水栓本体７を取り付け、この水栓本体７にシャワーヘッド１５を着脱可能に支持するとともに、この水栓本体７に供給管８，９を接続し、シャワーホース１０を水栓本体７を介してこの供給管８，９に接続してそのシャワーホース１０を垂れ下がらした状態で前記シャワーヘッド１５に接続し、このシャワーホース１０を水栓本体７から引き出してシャワーヘッド１５を使用する。より具体的には、取付壁２に面して設置した取付台１の外側に水栓本体７を取り付け、この取付台１の外側でこの水栓本体７の外口部１４ａにシャワーヘッド１５を着脱可能に支持し、この取付台１の内側でこの水栓本体７の内口部１１ａに供給管８，９を入れてこの水栓本体７に接続するとともに、この供給管８，９とシャワーホース１０とをバックガード６の挿通孔６ａに挿通し、このシャワーホース１０を水栓本体７の外口部１４ａから引き出しながらシャワーヘッド１５を水栓本体７の外口部１４ａから離脱させて使用する。
【０００７】
特に、このシャワー水栓３では、シャワーホース１０の吐出管１６ａ，１６ｂが出入する水栓本体７の内口部１１に対応する位置から、このシャワーホース１０の垂下部１７に沿う所定範囲Ｓで、前記取付壁２または取付台１の背板１８とシャワーホース１０との間に仕切部材１９を介在させている。
【０００８】
請求項１の発明では、シャワーホース１０が出入される水栓本体７の内口部１１ａの付近で、シャワーホース１０の垂下部１７が取付壁２または取付台１の背板１８に対し仕切部材１９により遮られて接触しにくくなり、シャワーホース１０自体または取付壁２や取付台１の背板１８の損傷を確実に防止することができる。
【０００９】
請求項１の発明を前提とする請求項２の発明において、前記仕切部材１９には、Ｕ状に曲がったシャワーホース１０の両側垂下部１７ａ，１７ｂをその垂下方向に沿って仕切る区画部２７を設けている。
【００１０】
請求項２の発明では、シャワーホース１０の両側垂下部１７ａ，１７ｂ同士の接触を区画部２７により規制し得るので、シャワーホース１０の損傷をより一層確実に防止することができ、また、シャワーホース１０の両側垂下部１７ａ，１７ｂの絡まりを防止するとともに、シャワーホース１０を円滑に引き出すことができる。
【００１１】
請求項１または請求項２の発明を前提とする請求項３の発明において、前記仕切部材１９は、シャワーホース１０の垂下部１７を案内する案内部３０，３２を有している。
請求項３の発明では、シャワーホース１０の垂下部１７の揺れを案内部３０，３２により抑制し得るので、取付壁２または取付台１の背板１８に対するシャワーホース１０の垂下部１７の接触を規制し、シャワーホース１０自体または取付壁２や取付台１の背板１８の損傷をより一層確実に確実に防止するとともに、シャワーホース１０を円滑に引き出すことができる。また、取付台１が流し台である場合、シンク５の排水トラップ５ａに対するシャワーホース１０の垂下部１７の接触を規制し、シャワーホース１０自体または排水トラップ５ａの損傷をより一層確実に確実に防止することができる。
【００１２】
請求項１または請求項２または請求項３の発明を前提とする請求項４の発明において、前記仕切部材１９は上側案内板部２１と下側案内板部２２とからなり、少なくとも上側案内板部２１の表側には仕切面２４を上側が取付壁２に向うように傾斜させて設けている。より具体的には、前記仕切部材１９の上側案内板部２１は、取付壁２または取付台１の背板１８に面する裏側に対し反対側になる表側で、水栓本体７の内口部１１ａから下方へ離れるに従い取付壁２または取付台１の背板１８から離れるように傾斜する仕切面２４を有している。
【００１３】
請求項４の発明では、仕切部材１９で仕切面２４を傾斜させているので、水栓本体７を取付台１に取り付ける場合に、供給管８，９とシャワーホース１０とが仕切面２４に沿って案内され、供給管８，９とシャワーホース１０とを水栓本体７の内口部１１ａに対し下側から円滑に挿入することができる。また、シャワーホース１０の垂下部１７を取付壁２または取付台１の背板１８から離間させ易くなるので、取付壁２または取付台１の背板１８に対するシャワーホース１０の垂下部１７の接触を規制し、シャワーホース１０自体または取付壁２や取付台１の背板１８の損傷をより一層確実に確実に防止することができる。
【００１４】
請求項１から請求項４のうちいずれかの請求項の発明を前提とする請求項５の発明において、前記仕切部材１９の裏側には取付台１の背板１８に支持される段差部２３を設けている。
【００１５】
請求項５の発明では、仕切部材１９を背板１８上で安定性良く支持することが可能となり、仕切部材１９の揺れや脱落を防止することができる。
請求項１から請求項５のうちいずれかの請求項の発明を前提とする請求項６の発明において、前記仕切部材１９は上側案内板部２１と下側案内板部２２とからなり、この上側案内板部２１は取付台１の背板１８の外側へ露出して取付壁２に面するように配設され、この上側案内板部２２は取付台１の背板１８の内側に配設されている。
【００１６】
請求項６の発明では、背板１８上で上側案内板部２１を取付壁２に支持するとともに下側案内板部２２を背板１８の内側に入り込ませる所定構造の流し台として取付台１を利用することができる。
【発明の効果】
【００１７】
本発明は、シャワー水栓３において、シャワーホース１０が出入される水栓本体７の内口部１１ａの付近で、シャワーホース１０自体あるいは流し台１等の背板１８や流し台１の排水トラップ５ａの損傷を確実に防止することができる。
【発明を実施するための最良の形態】
【００１８】
以下、本発明の一実施形態にかかるシャワー水栓について図面を参照して説明する。
図１，２に示すように、流し台１（取付台）が台所の取付壁２（建物の内壁）に面して設置され、この流し台１にシャワー水栓３が設置されている。このシャワー水栓３において、流し台１の外側にはカウンター４上のシンク５の後方でバックガード６に水栓本体７が取り付けられ、図３に示すように流し台１の内側には湯供給管８と水供給管９とシャワーホース１０とが配設されている。この水栓本体７は、バックガード６に穿孔された挿通孔６ａに取着された基台部１１と、操作レバー１３を有する湯水混合弁１２と、ホルダ１４とを備えている。このホルダ１４の外口部１４ａにシャワーヘッド１５が挿脱可能に支持されている。前記湯供給管８と水供給管９は、剛性管であり、前記水栓本体７の基台部１１の内口部１１ａに入れられて前記湯水混合弁１２に接続されている。前記シャワーホース１０においては、可撓性を有するメタル可撓ホース１６が前記湯水混合弁１２に対し供給端部１６ａ（吐出管）で接続されてこの基台部１１の内口部１１ａから出され、このメタル可撓ホース１６の吐出端部１６ｂ（吐出管）がこの基台部１１の内口部１１ａに入れられて前記シャワーヘッド１５に接続されている。なお、前記シンク５の下側から排水トラップ５ａがシャワーホース１０に対しスペースＷをあけて下方へ延設されている。
【００１９】
湯は前記湯供給管８を通って湯水混合弁１２に至るとともに、水は前記水供給管９を通って湯水混合弁１２に至り、その湯水混合弁１２で混合された湯水は、操作レバー１３の操作により、前記シャワーホース１０を通ってシャワーヘッド１５から噴出される。このシャワーヘッド１５を前記水栓本体７のホルダ１４の外口部１４ａに支持した状態では、前記シャワーホース１０が水栓本体７の基台部１１の内口部１１ａから垂れ下がった状態となる。このシャワーホース１０をホルダ１４の外口部１４ａから引き出しながらシャワーヘッド１５をホルダ１４の外口部１４ａから離脱させて使用する。
【００２０】
特に、このシャワー水栓３では、水栓本体７の基台部１１の内口部１１ａに対応する位置からメタル可撓ホース１６の垂下部１７に沿う所定範囲Ｓで、台所の取付壁２及び流し台１の背板１８とメタル可撓ホース１６の垂下部１７との間に仕切部材１９（図４参照）が介在されている。この仕切部材１９は、例えば合成樹脂により成形され、取付壁２に取着された取付板部２０と、この取付板部２０の下端縁部から下方へ延びる上側案内板部２１と、この上側案内板部２１の下端縁部から下方へ延びる下側案内板部２２とを備え、この上側案内板部２１の裏側に形成された段差部２３で流し台１の背板１８の上端縁部に支持されている。この仕切部材１９で取付板部２０には取付孔２０ａが穿設され、ビスをこの取付孔２０ａに挿通して取付板部２０を取付壁２に固定する。また、流し台１の背板１８のようにビスにより固定ができない箇所においては、仕切部材１９の裏面に両面テープ２０ｂを貼り付け、この両面テープ２０ｂにより固定することもできる。このようにして、仕切部材１９は取付壁２または流し台１の背板１８のいかなる場所においても取り付け可能である。
【００２１】
この上側案内板部２１の表側には水栓本体７の基台部１１の内口部１１ａから下方へ離れるに従い台所の取付壁２及び流し台１の背板１８から離れるように傾斜する上側仕切面２４が形成されている。この下側案内板部２２の表側には台所の取付壁２及び流し台１の背板１８と平行に延びる下側仕切面２５が形成されている。この取付板部２０の左右両端縁部からこの上側案内板部２１の左右両端縁部にわたり左右両端壁部２６が上側案内板部２１の表側へ突設されている。この左右両端壁部２６間の中央部では区画壁部２７（区画部）が取付板部２０の下端部から上側案内板部２１の仕切面２４を経て下側案内板部２２の仕切面２５の上端部にわたり上側案内板部２１の表側へ突設され、この区画壁部２７と左右両端壁部２６との間で左右両案内通路２８，２９（案内部）が形成されている。左側案内通路２８の下方で下側案内板部２２の仕切面２５には案内半筒部３０（案内部）が区画壁部２７の下端部から下方へ離間して設けられている。右側案内通路２９の下方で下側案内板部２２の仕切面２５には案内壁部３１が区画壁部２７の下端部との間で間隔をあけて上側案内板部２１の表側へ突設され、この案内壁部３１と区画壁部２７の下端部との間で案内溝部３２（案内部）が形成されている。この案内半筒部３０においては、切り欠いて形成された弾性可撓部３３に支持された開閉壁部３４が下側案内板部２２の仕切面２５に面し、この弾性可撓部３３の弾性力に抗して開閉壁部３４を開くと、開閉壁部３４が下側案内板部２２の仕切面２５から離間する。従って、メタル可撓ホース１６を案内半筒部３０の右側部（弾性可撓部３３に対する反対側）に当てがって弾性可撓部３３側へ押さえるだけの簡単な操作により、案内半筒部３０内にメタル可撓ホース１６を挿入することができる。なお、この案内半筒部３０については、下側案内板部２２の左右方向中央位置よりも右側または左側へずらしてもよい。
【００２２】
前記湯供給管８は左側案内通路２８で左側端壁部２６の付近を通る。前記水供給管９は右側案内通路２９で右側端壁部２６の付近を通る。この湯供給管８と水供給管９とはそれぞれ上側案内板部２１の仕切面２４と下側案内板部２２の仕切面２５とに面している。前記メタル可撓ホース１６の垂下部１７は、水栓本体７の基台部１１の内口部１１ａから前記仕切部材１９の下方へ垂れ下がり、左側垂下部１７ａと右側垂下部１７ｂとを有している。この左側垂下部１７ａは、左側案内通路２８で湯供給管８と区画壁部２７との間を通り、上側案内板部２１の仕切面２４と下側案内板部２２の仕切面２５とに面している。この右側垂下部１７ｂは、前記案内半筒部３０内と前記案内溝部３２とを通って水供給管９と区画壁部２７との間を通り、上側案内板部２１の仕切面２４と下側案内板部２２の仕切面２５とに面している。
【００２３】
前記メタル可撓ホース１６の垂下部１７は、水栓本体７の基台部１１の内口部１１ａの付近で、台所の取付壁２及び流し台１の背板１８に対し仕切部材１９により仕切られて区画される。しかも、この仕切部材１９において上側案内板部２１から下側案内板部２２にわたる仕切面２４，２５は台所の取付壁２及び流し台１の背板１８から離れるように傾斜しているので、水栓本体７を流し台１に取り付ける場合に湯供給管８と水供給管９とシャワーホース１０とを仕切面２４，２５に沿ってスムーズに挿入することができる。その傾斜により、メタル可撓ホース１６の垂下部１７において仕切部材１９よりも下方へ垂れ下がる部分を流し台１の背板１８から離間させ易くなる。メタル可撓ホース１６の垂下部１７において左側垂下部１７ａと右側垂下部１７ｂとの接触を区画壁部２７により規制し得る。また、シャワーヘッド１５の使用時にメタル可撓ホース１６を水栓本体７のホルダ１４の外口部１４ａから引き出すと、メタル可撓ホース１６の垂下部１７がその右側垂下部１７ｂで案内半筒部３０及び案内溝部３２により案内されながら持ち上げられる。その際、メタル可撓ホース１６の垂下部１７の揺れをこの案内半筒部３０及び案内溝部３２により抑制し得る。
【図面の簡単な説明】
【００２４】
【図１】本実施形態にかかる流し台においてシャワー水栓を示す部分斜視図である。
【図２】同じくシャワー水栓を示す部分断面図である。
【図３】図２のＡ−Ａ線矢視における部分断面図である。
【図４】（ａ）は上記シャワー水栓の仕切部材においてその表側を示す斜視図であり、（ｂ）はこの仕切部材の裏側を示す斜視図である。
【符号の説明】
【００２５】
１…流し台（取付台）、２…取付壁、３…シャワー水栓、７…水栓本体、８…湯供給管、９…水供給管、１０…シャワーホース、１１ａ…内口部、１４ａ…外口部、１５…シャワーヘッド、１６…メタル可撓ホース、１７…メタル可撓ホースの垂下部、１８…流し台の背板、１９…仕切部材、２１…上側案内板部、２２…下側案内板部、２３…段差部、２４…上側仕切面、２７…区画壁部（区画部）、３０…案内半筒部（案内部）、３２…案内溝部（案内部）、Ｓ…所定範囲。
【図１】
2005146732.tif 000003
【図２】
2005146732.tif 000004
【図３】
2005146732.tif 000005
【図４】
2005146732.tif 000006